(57)【要約】【課題】ナット本体の頭頂端の凹部に偏心ネジブロックを落し込んで、凹部の開口縁から突出する係止部を内方に傾倒させてナット本体に偏心ネジブロックを抱き込む弛み止めナットにあっては、ボルトネジ始端部がナット本体のネジ始端部を越えたとき、同じ螺旋状に連結して偏心ネジブロックのネジ始端がなければならないため、製造が大変であり、大量生産的に問題がある。【解決手段】締結金具のナット１におけるネジ筒２の頭頂部の外周一部を内方に加圧により偏心５させると共に、上記ネジ筒の頭頂部の上記偏心反対側にネジ欠落部を４設ける。【選択図】    図２
2004197886.tif 000002
【特許請求の範囲】
【請求項１】
締結金具のナットにおけるネジ筒の頭頂部の外周一部を内方に加圧により偏心させると共に、上記ネジ筒の頭頂部の上記偏心反対側にネジ欠落部を設けたことを特徴とする締結金具。
【請求項２】
前記ネジ筒に偏心部分からネジ欠落部に向けてスリットを設けたことを特徴とする請求項１に記載の締結金具。
【請求項３】
締結金具のナットにおいて、このナットの頭頂端から内方に回転止め形状の凹入部を設けて、この凹入部に適宜の圧縮可能な弾性環状体及び前記凹入部に対し外周が係合関係になるナット板を嵌装し、上記ナットの頭頂端に上記ナット板の脱出阻止手段を設けたことを特徴とする締結金具。
【請求項４】
締結金具のナットにおいて、このナットとの頭頂端から内方に回転止め形状の凹入部を設けて、この凹入部に対し外周が係合関係になるナット板を嵌装し、上記ナットの頭頂端に適宜の取付け手段を介し上記ナット板の押え込み板バネを取付けたことを特徴とする締結金具。
【請求項５】
締結金具のボルトにおいて、このボルトのネジ軸の外周面所望間隔位置に前記ネジ軸の軸線に沿う欠損部を設けたことを特徴とする締結金具。
【請求項６】
前記欠損部から欠損させる予肉を頭部方向に屈折によりくちばし状の突起部としたことを特徴とする請求項５に記載の締結金具。
【請求項７】
締結金具のボルトにおいて、このボルトのネジ軸をボルト頭部から大径軸及び小径軸を順次連成すると共に、この大径軸と小径軸とに設けるネジ部が、一方右ネジに対し他方左ネジになるようにしたことを特徴とする締結金具。
【請求項８】
締結金具のボルトにおいて、このボルトのネジ軸をボルト頭部から大径軸及び小径軸を順次連成すると共に、この大径軸と小径軸とに同方向のネジ部で、小径軸のネジ部が大径軸のネジ部に対し１／２以下のピッチに形成したことを特徴とする締結金具。
【請求項９】
前記ナットとナット板との同一螺旋状ネジである部分の１ピッチを、１ピッチ＋αまたは１ピッチ−αの間隔を持つことを特徴とする請求項３又は４に記載の締結金具。
【請求項１０】
前記小径軸のネジ部にねじ込むナットの大径軸側端面に前記大径軸と小径軸との誤差による干渉を避けるための大径軸よりわずかに大きい寸法の座繰り部を設けたことを特徴とする請求項７又は８に記載の締結金具。
【発明の詳細な説明】
【０００１】
【発明の属する技術分野】
この発明は、締結金具としてのナットやボルトに関して、弛み止め効果を発揮する締結金具に関する。
【０００２】
【従来の技術】
従来の弛み止めナットとしては、特開２０００−２７８３８号公報に示すようにナット本体内にボルトのネジと係合するが、ナット本体の軸芯に対して偏心した偏心ネジブロックを設けたものである。
【０００３】
その構成は、ナット本体の頭頂面から内方に凹部を設けて、この凹部に偏心ネジブロックを落とし込んだのち、凹部の開口縁から突出する係止部を内方に傾倒させながらナット本体に偏心ネジブロックを抱き込んでいる。
【０００４】
【発明が解決しようとする課題】
上記のような弛み止めナットは、ナット本体のネジ終端と偏心ネジブロックのネジ始端、及び偏心凹部の３点がボルト軸の垂直面に対して同一面上に存在していなければならない。なおかつ、ナット本体、偏心ネジブロックの廻り止め機能を有する係合関係のある位置から上記３点が同じ位置関係で無ければ嵌装出来ない。
【０００５】
別の言葉で言えば、ボルトネジ始端部がナット本体のネジ終端部を越えたとき同じ螺旋上に連続して偏心ネジブロックのネジ始端がなければならない。また、その反対側に偏心凸部が位置していなければならない。
【０００６】
もし、そうでなければボルトネジ先端部が偏心ネジブロックのネジ始端に食い込む以前に偏心ネジブロック凸部底面を押し上げて、１回転で１ピッチ分、回転させることに係止部を起立させて破壊後脱落し弛み止め機能を果たすことが出来ない。
【０００７】
しかるに、個々のナット本体と偏心ネジブロックは別々に製作されるため、本体ナットにおいて、タップによるねじ切り加工時に係合関係多角形の特定位置と、ネジ終端の位置が定まらない。又、偏心ネジブロックにおいても同じく、ネジの始端と偏心凹部との位置を決めることが出来ない。
【０００８】
よって、無作為に偏心ネジブロックを嵌装することは、上記３点の位置関係が一定性無く、無限大となり、結果、弛み止め効果は全く期待できないだけでなく係止部を破壊させる。
【０００９】
たとえ、ナット本体のネジ終端と偏心ねじブロックのネジ始端、及び偏心凹部の３点の位置関係を目視、手作業で成し得ても、その作業には手間が掛かり信頼性に欠け、勢いコストの大幅なアップとなると共に大量生産性に適さない。
別の要因として、嵌合されるボルトが粗悪品でネジ有効径が小さい場合は弛み止めナットの偏心量が固定のためくさび機能が働かず、弛み止めが機能しない。
【００１０】
そこで、この発明は上記の問題を解決することにある。
【００１１】
【課題を解決するための手段】
上記の課題を解決するために、この発明は、締結金具のナットにおけるネジ筒の頭頂部の外周一部を内方に加圧により偏心させると共に、上記ネジ筒の頭頂部の上記偏心反対側にネジ欠落部を設けた構成を採用し、前記ネジ筒に偏心部分からネジ欠落部に向けてスリットを設けることもある。
【００１２】
また、締結金具のナットにおいて、このナットの頭頂端から内方に回転止め形状の凹入部を設けて、この凹入部に適宜の圧縮可能な弾性環状体及び前記凹入部に対し外周が係合関係になるナット板を嵌装し、上記ナットの頭頂端に上記ナット板の脱出阻止手段を設けた構成や、締結金具のナットにおいて、このナットとの頭頂端から内方に回転止め形状の凹入部を設けて、この凹入部に対し外周が係合関係になるナット板を嵌装し、上記ナットの頭頂端に適宜の取付け手段を介し上記ナット板の押え込み板バネを取付けた構成を採用する。
【００１３】
さらに、締結金具のボルトにおいて、このボルトのネジ軸の外周面所望間隔位置に前記ネジ軸の軸線に沿う欠損部を設けた構成を採用し、前記欠損部から欠損させる予肉を頭部方向に屈折によりくちばし状の突起部とすることもある。
【００１４】
また、締結金具のボルトにおいて、このボルトのネジ軸をボルト頭部から大径軸及び小径軸を順次連成すると共に、この大径軸と小径軸とに設けるネジ部が、一方右ネジに対し他方左ネジになるようにした構成を採用する。
【００１５】
さらに、締結金具のボルトにおいて、このボルトのネジ軸をボルト頭部から大径軸及び小径軸を順次連成すると共に、この大径軸と小径軸とに同方向のネジ部で、小径軸のネジ部が大径軸のネジ部に対し１／２以下のピッチに形成した構成を採用する。
【００１６】
また、前記ナットとナット板との同一螺旋状ネジである部分の１ピッチを、１ピッチ＋αまたは１ピッチ−αの間隔を持つ構成や、前記小径軸のネジ部にねじ込むナットの大径軸側端面に前記大径軸と小径軸との誤差による干渉を避けるための大径軸よりわずかに大きい寸法の座繰り部を設けた構成を採用することもある。
【００１７】
【発明の実施の形態】
この発明の第１の実施形態では、図１及び図２に示すように、締結金具としてのナット１において、ネジ筒２の頭頂端内周の一部にネジ３の形成されていない欠損部４が設けてある。
【００１８】
上記の欠損部４は、切削加工や圧造などによって形成され、ネジ欠損部４の範囲は、図示の場合ネジ３の略半周としたが、その比率は限定されない。
【００１９】
また、ネジ筒２の頭頂端部のネジ欠損部４の反対側をネジ欠損部４に向け偏心させて偏心部５を設ける。
【００２０】
上記の偏心は、プレスなどによる加圧手段で行なう。
【００２１】
上記のように構成すると、ボルトにナット１をねじ込んで締め込みにともないボルトの先がネジ筒２の偏心部５に到達すると、ボルトの先が偏心部５のネジ３に係合し、係合に伴う締め込み回動によってネジ筒２の偏心周壁を外側に押し逃がす（押し戻す）ことになり、この押し逃がすために起生する復元力によって、ネジ筒２の偏心部５のネジ３とボルトのねじ部との強力な係合、すなわち互いの喰い込み関係によって弛み止め効果を発揮する。
【００２２】
なお、上記の弛み止め喰い込み力は、ネジ筒２の内方偏心量（突出量）が大きい程強くなるが、ナット、ボルトの材質、用途に応じて適宜決定すればよい。
【００２３】
この発明の第２の実施形態では、図３から図５に示すように、第１の実施形態と同様の（欠損部４の加工ずみナット１の）ネジ筒２の頂端部外周面から欠損部４に向う途中迄にスリット６を設けて、このスリット６の上方を加圧により偏心させて偏心部５を設ける。
【００２４】
上記スリット６の深さは、図示の場合スリット６の両端がネジ筒２の中心を横切る線上に位置するようにしたが、限定されない。
【００２５】
すると、加圧による偏心部５の加工が容易になってネジ筒２の無偏心のネジ３に対する偏心部５のネジ３の内方突出をスムーズに行なうことができる。
【００２６】
上記のように構成したナット１の弛み止め効果は、第１の実施形態と同様につき説明を省略する。
【００２７】
なお、第１の実施形態と第２の実施形態とでは、スリット６の有無によるが、スリット６のない第１の実施形態では、偏心部５のネジ３と偏心していないネジ筒２のネジ３とが一体化で内方に押し付ける力がより強くなって、ボルトのくの字状の応力を掛けて、くさび効果がより高くなる。
【００２８】
この発明の第３の実施形態では、図６及び図７に示すように、ナット２１の頭頂端から内方に回転止め形状の凹入部２２を設けて、この凹入部２２に圧縮可能な弾性環状体２３、凹入部２２に対し回転しない係合関係になるナット板２４を嵌装して、ナット２１の頭頂端にナット板２４の脱出防止手段２５を設ける。
【００２９】
上記の凹入部２２に対する嵌め込んだナット板２４の回転止めとしては、図示の場合、凹入部２２の内周面とナット板２４の外周面とを多角形（図示六角形）としたが、多角形以外に楕円や重なり面一方に突条を、他方に突条の嵌入溝条などの異形にすることもある。
【００３０】
上記の圧縮可能な弾性環状板２３としては、弾力性のある合成樹脂や、ゴム、皿バネなどがある。
【００３１】
上記の脱出防止手段２５としては、図示の場合、ナット２１の頭頂端面に環状の突条を設けて、この突条をかしめ機によってかしめながらナット板２４を押え込むようにしたが、他の手段を採用してもよい。
【００３２】
要するに、凹入部２２からナット板２４が脱出しないようにすればよい。
【００３３】
そして、ナット２１のネジ山とナット板２４のネジ山との境界線上で１条ネジの関係を崩さない範囲になるように考慮してある。
【００３４】
上記の条件を満たすために、ナット２１の凹入部２２に回転しないナット板２４を嵌装したのち、ナット板２４からナット２１に雌ネジを切る。
【００３５】
すると、ナット板２４とナット２１のネジは、１条ネジになり、ネジ切り後、厚み（１Ｐ＜Ｘ＜１．５Ｐ）を有する環状体２３を介在（凹入部２２の底とナット板２４との間に）させる。
【００３６】
また、ネジを切る以前にナット２１とナット板２４との間に環状体２３を介在させて同時にネジ切りを行なうことで上述の１条ネジの関係を形成することができる。
【００３７】
上記のように構成すると、図８に示すようにボルト２７にナット２１をねじ込んで締め込むと、ナット２１のネジ部２８を貫通し、次いでナット板２４のネジ部２９にボルト２７の先端側がねじ込まれる。
【００３８】
そして締め込みを続行することによって凹入部２２の底方向にナット板２４を引き込むので、環状体２３を除々に圧縮しながら、圧縮にともない環状体２３に起生する復元力によってナット板２４を脱出防止手段２５側に押し戻すことになる。
【００３９】
この押し戻し作用力によって図８に示すように、ボルト２７のネジ山３０の図示上側面がナット２１のネジ山２８の図示下側面に、ナット板２４のネジ山２９の図示上側面がボルト２７のネジ山３０の図示した側面に強力な圧接、すなわち押し付けられる係合関係になって弛み止め効果を発揮する。
【００４０】
この発明の第４の実施形態では、図９に示すように、第３の実施形態と同様の凹入部２２を有するナット２１と、この凹入部２２に不回転状態に嵌入するナット板２４とからなり、ナット２１の頭頂端には、適宜の取付け手段３１を介しナット板２４の押え込み板バネ３２が設けてある。
【００４１】
上記の取付け手段３１は、図示の場合ナット２１の頭頂端面に環状の突条３３を設けて、この突条３３のかしめによる傾倒によって環状の板バネ３２の上面を押え込んで取付けるようにしたが、上述の手段に限定されず、例えばナット２１の頭頂端面に板バネ３２の外周縁部を点在的なスポット溶接により固着することもできる。
【００４２】
上記凹入部２２や、凹入部２２に不回転状態に嵌め込むナット板２４は、第３の実施形態と同様につき説明を省略する。
【００４３】
そして、第３の実施形態と同様にナット２１のネジ山とナット板２４のネジ山との境界線上で１条ネジの関係を崩さない範囲になるように考慮してある。
【００４４】
上記の条件を満たすために、ナット２１の凹入部２２にナット板２４を（不可回転状態に）嵌装したのち、ナット板２４からナット２１に雌ネジを切る。
【００４５】
すると、ナット２１とナット板２４のネジは、１条ネジになる。
【００４６】
上記のように構成すると、図９に示すように、ボルト２７にナット２１をねじ込んで締め込むと、ナット２１のネジ部２８を貫通し、次いでナット板２４のネジ部２９にボルト２７の先端側がねじ込まれる。
【００４７】
そして締め込みを続行することによって凹入部２２から脱出方向にナット板２４を移動させるので、移動にともない板バネ３２を押し戻す（押し逃がす）ことになる。
【００４８】
すると、板バネ３２に作用する復元力によりナット板２４を凹入部２２の底側に押し込むことになるので、ボルト２７のネジ山３０の図示上面にナット板２４のネジ山２９の図示上側面が強力に圧接、すなわち押し付けられる係合関係になって弛み止め効果を発揮する。
【００４９】
そして、第３の実施形態及び第４の実施形態のナット２１とナット板２４のネジ山が１条のネジの関係を崩さない範囲とする条件を、図１０に示す１Ｐ＋α（図１２の関係を１Ｐ＋αにする）や、図１１及び図１２に示す１Ｐ−αにする。
【００５０】
すると、１Ｐ＋αの場合、図１０に示すようにナット板２４がナット２１を押し下げる作用を増大させて、ナット２１全体のネジ山全てに締め付けの応力を発生させることで、弛み止め効果を増大させることになる。
【００５１】
また、図１１及び図１２に示すように、１Ｐ−αすることによっても同様の弛み止め効果を発揮する。
【００５２】
この発明の第５の実施形態では、図１３に示すように、締結金具としての例えば第３及び第４の実施形態のナット２１にねじ込むボルト２７のネジ軸の所面所要間隔位置には、ネジ軸の軸線に沿う欠損部４１が設けてある。
【００５３】
上記の欠損部４１は、例えば切削加工やネジ転造される前の軸部圧造時に軸に沿って溝を形成しておくとよい。
【００５４】
上記のように構成すると、弛み止めナットのねじ込みにともない、弛み止めナットの偏心部分のネジにボルト２７のネジ軸をねじ込むと、偏心部分を押し逃がす。
【００５５】
このとき、ネジ軸の欠損部４１によって偏心部分のネジ部の摩擦抵抗が減少して、スムーズな締め込み時の回転ができると共に、締め込み終了時にあっては、ネジの欠損部４１の端と弛み止めナットのネジとの引っかかりによって尚一層弛み止め効果が有効になる。
【００５６】
また、図１４及び図１５に示すように、上記の欠損部４１を、ネジ山の欠落加工（ネジ山への打撃加工による）によって設けることもある。
【００５７】
そして、上記欠落加工によって欠損部４１を設ける際、図１６及び図１７に示すように、欠損させる予肉をくちばし状の突起部４２に形成する。
【００５８】
すると、ボルトやナットに溶融亜鉛メッキが施されている場合に、亜鉛は鉄よりも柔らかいため、くちばし状の突起部４２がナットのネジ山のフランク面に被膜としてある亜鉛膜を突き破り、ナットのネジ山フランク面にしっかりと喰いつき、弛み止め効果を発揮する。
【００５９】
なお、上記の欠損部４１は、被締結物の長さとナットの長さを計算して、欠損部４１の配置位置を設定しておくことにより、ボルト２７のネジ山に欠損部４１があっても従来品と全く同じ強度を維持できる。すなわち、材質などの変更を必要としない。
【００６０】
この発明の第６の実施形態では、図１８に示すように、締結金具としてのボルト５１のネジ軸を、ボルト５１の頭部５２から大径軸５３、この大径軸５３から小径軸５４を順次連成して、大径軸５３のネジ部５５と小径軸５４のネジ部５６が、一方左ネジに対し他方右ネジになるようにする。
【００６１】
すると、ボルト５１の大径軸５３のネジ部５５に第１ナット５７をネジ込んで締め込み終了後に小径軸５４のネジ部５６に第２ナット５８をねじ込んで締め込み、第１ナット５７と第２ナット５８との重なり面（接触面）を圧接状態にしておく。
【００６２】
この状態下で第１ナット５７に弛み方向の回転が起生しても第１ナット５７と共に第２ナットを弛み方向に回転させようとしても大径軸５３のネジ部５５と小径軸５４のネジ部５６とが、一方左ネジに対し他方右ネジにしてあるが故に、第１ナット５７の弛み方向の回動に追従して第２ナット５８が回動することなく、第２ナット５８に第１ナット５７を圧接することになる。
【００６３】
このため、第１ナット５７の弛みを防止する。
【００６４】
また、大径軸５３と小径軸５４との段の誤差による干渉を避けるために、第２ナット５８の座面（第１ナット５７に対する重なり面）側に適当な深さの座繰り部５９が設けてある。
【００６５】
この発明の第７の実施形態では、図１９及び図２０に示すように、第６の実施形態と同様のボルト５１の大径軸５３と小径軸５４とにそれぞれ設けるネジ部６１、６２とが、同方向で、かつ大径軸５４のネジ部６２が大径軸５３のネジ部６１に対し１／２以下のピッチに形成してある。
【００６６】
すると、大径軸５３のネジ部６１に第１ナット６３を、小径軸５４のネジ部６２に第２ナット６４をねじ込み、第７の実施形態と同様に第１ナット６３の弛み止め効果を発揮させる。
【００６７】
上記ピッチの差は、限定されないが、その差が大きい程弛み止め効果が大きい。
【００６８】
なお、第２ナット６４にも前述の座繰り部５９を設けておく。
【００６９】
【発明の効果】
以上のように、この発明の締結金具のナットによれば、ナットの頭頂端部の内方への加圧による偏心部によってナットのネジとボルトのネジとの強力な係合、すなわち互いの食い込み関係によって弛み止め効果を発揮する。
【００７０】
また、ネジ筒のスリットによって加圧による偏心部の加工が容易になって、ネジ筒の無偏心のネジに対する偏心部のネジの内方突出をスムーズに行なうことができると共に、偏心部分に良好な拡径、縮径の弾力性を付与し、偏心の反対側ネジ欠落部によって締め込みにともなうボルトのネジ部の損傷がない以外に、ボルトにくの字の応力を掛けてくさび効果を発揮させることもできる。
【００７１】
さらに、ナットの凹入部に弾性環状体と共に組み込んだナット板や、ナットの凹入部に板バネにより押え込んで組み込んだナット板によってボルトとナットとの強力な係合にともない弛み止め効果を発揮すると共に、ナットとナット板との同一螺旋状ネジである部分の１ピッチを、１ピッチ＋αまたは１ピッチ−αの間隔を保つことでネジの強力な係合関係を維持して良好な弛み止め効果を発揮する。
【００７２】
また、ボルトのネジ軸の欠損部や、欠損部からの予肉を利用したくちばし状の突起部によっても弛み止め効果を発揮する。
【００７３】
さらに、ボルトのネジ軸を大径部と小径部とで形成すると共に、大径部と小径部とのネジ部を一方左に対し他方右にし、大径軸と小径軸とに同方向のネジ部を設けると共に、小径軸のネジ部が大径軸のネジ部に対し１／２以下のピッチに形成してあるので、締め込んだナットの弛み止めになる。
【００７４】
そして、座繰り部によって大径軸と小径軸と段差部分の誤差による干渉を避けることもできる。
【図面の簡単な説明】
【図１】この発明の第１の実施形態を示す平面図
【図２】同上の縦断正面図
【図３】第２の実施形態を示す平面図
【図４】同上の縦断正面図
【図５】ナットの斜視図
【図６】第３の実施形態を示す分解斜視図
【図７】同上を組み立てた縦断正面図
【図８】使用状態を示す縦断拡大正面図
【図９】第４の実施形態を示す縦断正面図
【図１０】ナットとナット板とのネジ山の関係を示す縦断拡大正面図
【図１１】同ナットとナット板とのネジ山の関係を示す縦断拡大正面図
【図１２】同ナットとナット板とのネジ山の関係を示す縦断拡大正面図
【図１３】第５の実施形態を示す斜視図
【図１４】他の例を示す平面図
【図１５】同上の斜視図
【図１６】他の例を示す正面図
【図１７】同上の要部を示す拡大側面図
【図１８】第６の実施形態を示す一部切欠正面図
【図１９】第７の実施形態を示す正面図
【図２０】同上の使用状態を示す一部切欠正面図
【符号の説明】
１          ナット
２          ネジ筒
３          ネジ
４          欠損部
５          偏心部
６          スリット
７          ナット
８          ネジ筒
１１        ネジ
２１        ナット
２２        凹入部
２３        環状体
２４        ナット板
２５        脱出防止手段
２７        ボルト
３１        取付け手段
３２        板バネ
３３        突条
４１        欠損部
４２        突起部
５１        ボルト
５２        頭部
５３        大径軸
５４        小径軸
５５、５６  ネジ部
５７        第１ナット
５８        第２ナット
５９        座繰り部
６１、６２  ネジ部
６３        第１ナット
６４        第２ナット
【図１】
2004197886.tif 000003
【図２】
2004197886.tif 000004
【図３】
2004197886.tif 000005
【図４】
2004197886.tif 000006
【図５】
2004197886.tif 000007
【図６】
2004197886.tif 000008
【図７】
2004197886.tif 000009
【図８】
2004197886.tif 000010
【図９】
2004197886.tif 000011
【図１０】
2004197886.tif 000012
【図１１】
2004197886.tif 000013
【図１２】
2004197886.tif 000014
【図１３】
2004197886.tif 000015
【図１４】
2004197886.tif 000016
【図１５】
2004197886.tif 000017
【図１６】
2004197886.tif 000018
【図１７】
2004197886.tif 000019
【図１８】
2004197886.tif 000020
【図１９】
2004197886.tif 000021
【図２０】
2004197886.tif 000022